(57)【要約】【課題】記録媒体の分離不良を抑制でき、かつ画像不良の発生を効果的に回避する。【解決手段】像担持体と、前記像担持体に形成されたトナー像を搬送される記録媒体に転写するために転写電圧を印加する転写部と、前記転写部に印加する転写電圧を制御する制御部と、を有し、前記制御部は、前記転写部に通常の転写電圧を印加する第１モードと、搬送される記録媒体の先端所定領域における前記トナー像の画像比率に応じ、前記画像比率が低いときは、画像比率が高いときよりも印加する転写電圧を低くする第２モードとを有し、前記先端所定領域に対して前記第２モードによる転写電圧を印加する。【選択図】図５
2018146827.tif 000002
【特許請求の範囲】
【請求項１】
像担持体と、
前記像担持体に形成されたトナー像を搬送される記録媒体に転写するために転写電圧を印加する転写部と、
前記転写部に印加する転写電圧を制御する制御部と、
を有し、
前記制御部は、前記転写部に通常の転写電圧を印加する第１モードと、搬送される記録媒体の先端所定領域における前記トナー像の画像比率に応じ、前記画像比率が低いときは、画像比率が高いときよりも印加する転写電圧を低くする第２モードとを有し、前記先端所定領域に対して前記第２モードによる転写電圧を印加することを特徴とする画像形成装置。
【請求項２】
前記第２モードによる転写電圧は、前記第１モードによる転写電圧よりも低い値であることを特徴とする請求項１記載の画像形成装置。
【請求項３】
前記第２モードは、シート搬送方向の先端部の所定領域において、シート搬送方向と直交する方向のシート端部領域の画像比率が変化したときは、中央部領域の画像比率が変化したときよりも前記転写電圧を大きく変化させることを特徴とする請求項１又は請求項２に記載の画像形成装置。
【請求項４】
前記記録媒体の坪量が所定値以下のときに前記第２モードによる転写電圧制御を行うことを特徴とする請求項１乃至請求項３のいずれか１項に記載の画像形成装置。
【発明の詳細な説明】
【技術分野】
【０００１】
本発明は、複写機、プリンタ等の電子写真プロセスを利用した画像形成装置に関する。
【背景技術】
【０００２】
従来、像担持体に担持されるトナー像を転写電圧を印加することによって記録媒体であるシートに転写する画像形成装置では、トナー像を転写するための電界の影響により、転写部を通過するときに像担持体から電荷がシートに移行してシートが帯電する。このため、特に薄手のシートの場合は帯電による静電気力によりシート先端部が像担持体に吸着することがある。転写部を通過したシートは像担持体から分離して搬送されなければならないが、前記のようにシート先端部が像担持体に吸着していると、像担持体に巻き付いて分離不良が発生する問題があった。
【０００３】
この問題に対処するために、例えばシートの搬送方向先端部（非画像領域）が像担持体と転写部材の圧接ニップ部である転写ニップ部を通過する際に、例えば転写極性と逆極性に設定された先端電流がシートに流れるように電圧印加部を制御することが提案されている（特許文献１）。これによって、シートの帯電量を制御し、シートの分離不良を抑制するものである。
【先行技術文献】
【特許文献】
【０００４】
【特許文献１】特開２０１６−９０６２２号公報
【発明の概要】
【発明が解決しようとする課題】
【０００５】
しかしながら、特許文献１の転写電圧制御においては、シートの搬送方向先端部が転写ニップ部を通過する際に、シートの搬送方向先端部における転写極性と逆極性に設定された転写電圧の影響によって、例えばシートの先端付近の帯電が負極性になる。そして、シートの先端部が転写ニップ部を通過した後に転写電圧の極性は正極性に変更される。このとき、前記負極性に帯電したシート先端部は正極性の転写電界の影響により静電気力を受け、分離不良が発生する場合があることが判明した。
【０００６】
以上より、転写ニップ部通過直後のシートの分離不良をなくすためには、転写ニップ部を通過した後のシートの帯電量を抑制させることが望ましい。その対策方法として、シートが転写ニップ部を通過するときの転写電圧を低減させることが有効である。しかし、転写電圧を低減させると、シートの画像の条件（例えば画像比率）によっては、転写ニップ部内のトナーをシートに転写するために必要な転写電界が不足し、転写不良が起こる問題がある。
【０００７】
そのため、従来の転写電圧の設定においては、シートの分離不良を発生させないために、画像の条件によっては転写不良が発生する転写電圧に設定せざるを得ないものであった。
【０００８】
本発明は上記問題等に鑑みてなされたものであり、その目的は、記録媒体の分離不良を抑制でき、かつ画像不良の発生を効果的に回避可能な画像形成装置を提供するものである。
【課題を解決するための手段】
【０００９】
上記目的を達成するための本発明に係る代表的な構成は、像担持体と、前記像担持体に形成されたトナー像を搬送される記録媒体に転写するために転写電圧を印加する転写部と、前記転写部に印加する転写電圧を制御する制御部と、を有し、前記制御部は、前記転写部に通常の転写電圧を印加する第１モードと、搬送される記録媒体の先端所定領域における前記トナー像の画像比率に応じ、前記画像比率が低いときは、画像比率が高いときよりも印加する転写電圧を低くする第２モードとを有し、前記先端所定領域に対して前記第２モードによる転写電圧を印加することを特徴とする。
【発明の効果】
【００１０】
本発明によれば、シート先端部の画像の条件に応じて転写電圧の減少幅を制御することにより、シートの転写性を大きく損なうことなく、分離不良を抑制させることができる。
【図面の簡単な説明】
【００１１】
【図１】画像形成装置の構成説明図
【図２】転写電圧とシート先端付近の画像比率、シートの分離性、トナーの転写性の関係を示す表図
【図３】シートの先端画像領域の模式図
【図４】転写電圧制御構成のブロック図
【図５】転写電圧の印加制御フロー
【図６】画像比率と転写電圧の関係を示すグラフ
【図７】印刷時間と転写電圧の関係を示すタイミングチャート
【図８】転写電圧と画像比率とシート分離性、トナー転写性の関係を示すグラフ
【図９】転写ニップ部のシート幅方向の位置がシートの分離性に与える影響の検証結果を示す表
【図１０】シート幅方向中央部の画像比率と転写電圧とシート分離性、トナー転写性の関係を示すグラフ
【図１１】シート幅方向端部の画像比率と転写電圧とシート分離性、トナー転写性の関係を示すグラフ
【図１２】シート幅方向の先端画像形成領域の模式図
【図１３】シート幅方向の先端画像領域端部と全体の画像比率の関係を示すグラフ
【発明を実施するための形態】
【００１２】
次に本発明の実施形態に係る画像形成装置について図面を参照して説明する。
【００１３】
〔第１実施形態〕
図１は本実施形態に係る画像形成装置の模式説明図である。本実施形態の画像形成装置は、像担持体である感光ドラムに形成したトナー像を第２の像担持体である中間転写ベルトに一次転写し、そのトナー像を二次転写部において搬送されるシートに二次転写して画像形成する中間転写方式の電子写真画像形成装置である。
【００１４】
＜画像形成装置の全体構成＞
本実施形態の画像形成装置は、像担持体である中間転写ベルト１が駆動ローラ８ａ、テンションローラ８ｂ及び二次転写内ローラ８ｃに張架され、駆動ローラ８ａの回転により図１の反時計回りに回転可能に設けられている。
【００１５】
前記中間転写ベルト１に沿って、その回転方向の上流側からイエロー（Ｙ）、マゼンタ（Ｍ）、シアン（Ｃ）、ブラック（Ｋ）の各トナー像を形成する４個の画像形成ユニットが並置されている。各画像形成ユニットの構成は、トナーの色が異なるのみで構成は同一である。これをイエローの画像形成ユニットを例示して説明すると、像担持体としての感光ドラム２の周囲に帯電ローラ３、露光部４、現像部５、一次転写ローラ６、ドラムクリーニング部７が配置されている。そして、画像形成にあたっては、矢印方向に回転する感光ドラム２の表面を帯電ローラ３への帯電バイアスの印加によって一様に帯電し、これに露光部４から画像信号に応じた露光をすることで感光ドラム２に静電潜像を形成する。露光部４によって形成される静電潜像は、小さいドット画像の集合体となっており、ドット画像の密度を変化させることで感光ドラム１上に形成するトナー像の濃度を変化させることができる。本実施形態において、各色トナー像はそれぞれ最大濃度が１．５〜１．７程度となっており、最大濃度のときのトナーの載り量は０．４〜０．６ｍｇ／ｃｍ2程度となっている。
【００１６】
前記静電潜像を現像部５によってイエロートナーにより現像して可視像化し、現像されたトナー像を一次転写ローラ６への転写バイアス印加によって中間転写ベルト１に一次転写する。同様にしてマゼンタ、シアン、ブラックの画像形成ユニットにおいて、マゼンタトナー像、シアントナー像、ブラックトナー像を中間転写ベルト１に一次転写してカラー画像を形成する。
【００１７】
前記中間転写ベルト１へのトナー像の形成と同期して、図示しないシートカセットから搬送ローラ９等の搬送手段によって記録媒体であるシートＰが二次転写部に搬送される。二次転写部である二次転写内ローラ８ｃに支持された中間転写ベルト１と二次転写ローラ１０とのニップ部（転写ニップ部）をシートが搬送されるときに、二次転写ローラ１０にトナーと逆極性の二次転写バイアスを印加することで中間転写ベルト１上のトナー像をシートＰに転写する。
【００１８】
そして、トナー像が転写されたシートは、定着部１１へと搬送され、加熱、加圧されることでトナー像が定着されて図示しない排出部に排出される。
【００１９】
また、前記転写ニップ部よりも中間転写ベルト１の下流側には中間転写ベルト１上に残留したトナーや紙粉を除去するベルトクリーニング部１２が設けられている。
【００２０】
＜二次転写電圧の制御＞
本実施形態にあっては、上記二次転写部において二次転写ローラ１０に印加する転写電圧を、感光ドラム２に形成される画像の画像比率に応じて制御するようにしている。
【００２１】
（画像比率とトナーの転写性、シートの分離性の関係）
転写ニップ部においてトナー像が転写されたシートは、中間転写ベルト１から分離されて定着部１１へと搬送されるが、このときシート先端付近のトナー像の状態が分離性に影響を与える場合がある。これは、転写ニップ部におけるシートの帯電極性や搬送方向、トナーをシートに転写するために必要な電界が変化し、シートの分離性や転写性に影響するからである。
【００２２】
図２は、二次転写電圧の設定値が５００Ｖである画像形成装置において、シートの先端付近の画像比率と二次転写電圧がシートの分離性とトナーの転写性に与える影響を検証した結果を示す表である。なお、図２の「○」は転写良好、又は分離良好を示し、「×」は転写不良、又は分離不良を示す。
【００２３】
図２に示すように、転写電圧が高くなると、トナー転写性は良くなるが、シートの分離性は悪くなる。一方、転写電圧を低くすると、シートの分離性は良くなるが、トナーの転写性は悪くなる。そして、シートの先端付近の画像比率（トナー載り量）によって、前記転写性と分離性を両立できる転写電圧領域が変化することがわかる。
【００２４】
画像比率がシートの分離性に影響する原理としては、シートにトナーが転写されている部分と、転写されていない部分とでは中間転写ベルトとシート間の空気ギャップによって中間転写ベルトからの電荷移動状態が異なり、トナーが転写されていない部分（画像比率が低い部分）よりもトナーが転写されている部分（画像比率が高い部分）の静電吸着力が弱くなる。そのため、シートの分離性は、画像比率によって異なってくると考えられる。
【００２５】
ここで、転写ニップ部を通過したシートは先端部が中間転写ベルト１に吸着すると、そのまま中間転写ベルトに巻き付いて分離しなくなる。一方、シートの先端部が中間転写ベルト１から分離した後は、分離した先端部の重力等によって後続するシート領域が転写電圧の影響で中間転写ベルトに吸着してもシートはベルトに巻き付くことなく分離されていく。
【００２６】
そこで、本実施形態では前記分離性と転写性を両立するために、シート先端部の画像比率に応じて二次転写電圧を制御するものである。
【００２７】
なお、画像比率を算出するシート先端部領域は、その領域が中間転写ベルト１から分離すると後続する領域も中間転写ベルトから順次分離していく領域である。したがって、シートの坪量にもよるが、シート先端から約５０ｍｍ程度の領域であり、本実施形態では、図３に示すように、画像形成領域先端から２０ｍｍの領域の画像比率を算出するようにしている。なお、図３において、シート先端から５ｍｍの領域は余白領域であって画像形成領域ではないため、この領域は画像形成領域先端部には含まれない。
【００２８】
（画像比率の導出方法）
画像比率の導出方法としては、本実施形態では、各色の画像比率をビデオカウント値に基づいて求める。ここで、ビデオカウント値とは、入力された画像データを変換した後の各色画像データにおける１画素毎の濃度レベル（０〜２５５レベル）を画像サイズの画素分積算した値を指す。そして、画像サイズのすべての画素について、すべての色が最高濃度レベルである場合のビデオカウント値に対する割合を画像比率とする。
【００２９】
本実施形態では、ビデオカウント値は制御部２０がＲＧＢ画像データを変換することで取得する。そして、画像比率の取得は制御部２０が例えば画像サイズ（例えばＡ４サイズ）をシート搬送方向の画像形成領域先端部について算出する。ここでは、算出した画像比率をＧtotal［％］と記す。
【００３０】
＜二次転写電圧の制御＞
次に算出した画像比率に応じた転写電圧の制御について説明する。本実施形態にあっては、図４に示すように、二次転写ローラ１０に印加する二次転写電圧を制御部２０で制御する。そして、この制御部２０は、シートの坪量を検出する坪量検出手段２１と、シート画像領域先端部の画像比率を検出する画像比率検出手段２２から検出信号を入力し、シートの坪量が予め設定した所定値以下（例えば普通紙の坪量以下）だった場合に、画像比率に応じた二次転写電圧を印加するように二次転写電圧電源２３を駆動する。
【００３１】
坪量検出手段２１は、例えばオペレータが入力したシートの種類等によって検出することができる。画像比率検出手段２２は、前述したようにビデオカウント値に基づいて画像比率Ｇtotalを算出することで検出可能である。
【００３２】
そして、制御部２０は二次転写ローラ１０に通常の転写電圧（標準電圧）を印加する第１モードと、搬送されるシートの先端所定領域における画像比率に応じ、前記画像比率が低いときは、画像比率が高いときよりも印加する転写電圧を低くする第２モードとを有する。そして、シートの坪量が所定値以下のときは、前記先端所定領域に対して前記第２モードによる転写電圧を印加するものである。
【００３３】
ここで、第１モードの転写電圧値は、トナー像をシートに二次転写するための標準電圧として設定された値である。一方、第２モードの転写電圧値は、前記標準電圧値よりも低く、かつ、画像比率に応じて変化する電圧値である。
【００３４】
図５に転写電圧制御フローの一例を示す。印刷ジョブが投入されるとシートの坪量が所定値以下か否かが判別される（Ｓ１）。坪量が所定値よりも大きいときは、二次転写部で標準電圧を印加しても中間転写ベルト１へのシートの巻き付きは生じないとして、二次転写電圧は第１モードが選択されて通常の二次転写電圧である電子写真電圧標準値（Ｖref）でトナー像が転写される（Ｓ２）。
【００３５】
一方、シートの坪量が所定値以下の場合は、二次転写電圧の印加によってシートが中間転写ベルト１に巻き付き易い薄紙であるため、シート画像領域先端部に第２モードによる二次転写電圧を印加する（Ｓ３）。
【００３６】
第２モードによる二次転写電圧制御は、シートが転写ニップ部へ搬送された際に、シートの分離性を向上させるため、シートの画像領域先端部が転写ニップ部に突入するときに、転写電圧低減制御を実行するものである。本実施形態では、シートの画像領域先端部から搬送方向２０ｍｍの領域に画像比率に応じた転写電圧印加値（Ｖapply）の電圧を印加する。そして、本実施形態の画像形成装置では画像比率（Ｇtotal）と転写電圧低減値（Ｖoffset）、転写電圧標準値（Ｖref）、転写電圧算出値（Ｖapply）の関係は以下の式により与えられるように設定されている。
【００３７】
Ｖapply ＝ Ｖref − Ｖoffset    ……式１
Ｖoffset ＝ ０．５×（１−Ｇtotal／１００）×Ｖref    ……式２
したがって、本実施形態では図６のグラフに示すように、画像比率（Ｇtotal）に応じて転写電圧低減値（Ｖoffset）が決定される。すなわち、シート画像領域先端部の画像比率が１００％のときはＶapply ＝ Ｖrefであるが、画像比率が減少するにしたがって二次転写電圧は比例的に小さくなり、シート画像領域先端部の画像比率が０％のときはＶapply ＝ ０．５Ｖrefとなる。
【００３８】
上記のように、シートの先端所定領域における画像比率に応じ、画像比率が低いときは、画像比率が高いときよりも印加する二次転写電圧が低くなるように制御する。これにより、シートの分離性を良好に維持したまま、トナーの転写性も良好に維持することができる。
【００３９】
図７に印刷時間とシートに印加する転写電圧の関係例をグラフに示す。シートの画像領域先端部が転写ニップ部を通過するとき（Ｔ1）から、シートの画像領域先端部（シート搬送方向へ２０ｍｍの領域）の位置が転写ニップ部領域を通過するとき（Ｔ2）までの間に、前述した転写電圧算出値（Ｖapply）を印加し、シートの画像領域先端部が転写ニップ部を通過した後は、二次転写電圧を第１モードに切り換えて転写電圧標準値（Ｖref）に変更するように制御する。
【００４０】
図８は、転写電圧標準値（Ｖref）を３０００Ｖに設定した画像形成装置を用い、坪量が設定した所定値以下のシートに画像形成するときに、シート画像領域先端部の画像比率（Ｇtotal）と、二次転写電圧値を変化させてシートの分離性と、トナーの転写性のそれぞれについて、良好領域（ＯＫ領域）と、不良領域（ＮＧ領域）を調べた結果である。
【００４１】
図８に示すように、ある一定の画像比率（Ｇtotal）において、転写電圧を増加させるとシートの分離性は悪化し、トナーの転写性は良化する。また、ある一定の転写電圧において、画像比率（Ｇtotal）を増加させるとトナーの転写性は悪化し、シートの分離性は良化する。
【００４２】
したがって、トナーの転写性とシートの分離性がともに良好な領域は、所定の転写電圧と画像比率（Ｇtotal）の範囲（図８の網目領域）におけることが確認できる。
【００４３】
よって、上記の式１、式２による転写電圧算出値を二次転写電圧としてシートに印加することによって、図８における画像形成装置にて効果的に画像不良と分離不良を回避できる。
【００４４】
なお、前記式２における０．５は比例定数となるべきものであり、シートの種類に応じて適宜変更してもよい。
【００４５】
また、前記式によらず、図８に示す画像比率と転写電圧を変化させてシートの分離性とトナーの転写性の良否のデータをシートの坪量ごとに取得しておき、そのデータテーブルを制御部に格納しておくことで、搬送されるシートの坪量及びシート画像領域先端部の画像比率に応じた転写電圧を読み出し、その転写電圧を印加するように制御してもよい。
【００４６】
上記のような制御を実施することで、シート画像領域先端部の画像比率に応じた最適な転写電圧を印加することにより、シートの転写性を大きく損なうことなく分離不良を抑制させることができる。
【００４７】
〔第２実施形態〕
次に第２実施形態に係る画像形成装置について説明する。なお、本実施形態の装置の基本構成は前述した実施形態と同一であるため重複する説明は省略し、ここでは本実施形態の特徴となる構成について説明する。また、前述した実施形態と同一機能を有する部材には同一符号を付す。
【００４８】
二次転写部でのシートの分離性は、シートの幅方向（シート搬送方向と直交する方向）の位置によって異なる。図９は所定の画像形成装置において、シートの幅方向の端部と中央部とで二次転写電圧を変化させてシートの分離性を観察した結果を示す表である。図９において、「○」は分離良好を示し、「×」は分離不良を示す。これからわかるように、シートの幅方向端部領域は、中央部領域よりも分離不良となる閾値電圧が低いことがわかる。
【００４９】
これは、二次転写ローラ１０は長手方向（シート幅方向）両端部でバネ等によって中間転写ベルト１に押圧されており、中央部よりも端部に大きな荷重がかかっている。この荷重の相違により、中間転写ベルトとシートの空気ギャップが異なり、転写電圧印加時の中間転写ベルトから電荷移動状態が異なるために、端部と中央部とではシート分離性が異なると考えられる。
【００５０】
図１０は、転写ニップ部の長手方向（シート幅方向）端部における画像比率が１００［％］の場合における、転写ニップ部の長手方向中央部の画像比率と転写電圧、シートの分離性とトナーの転写性の関係を調べた結果を示すグラフ模式図である。
【００５１】
また、図１１は、転写ニップ部の長手方向中央部における画像比率が１００［％］の場合における、転写ニップ部の長手方向端部の画像比率と転写電圧、分離性と転写性の関係調べた結果を示すグラフを模式図である。
【００５２】
図１０及び図１１より、転写ニップ部の長手方向端部は、中央部よりも画像比率に対するシートの分離ＯＫ・ＮＧ閾値電圧の変化率が大きいことが確認できる。すなわち、転写ニップの長手方向にあっては、中央部の画像比率の変化に対して端部の画像比率が変化した場合のほうがシートの分離ＯＫ・ＮＧ閾値電圧は大きく変化する。
【００５３】
従って、シートの転写ニップ部長手方向端部と中央部で画像比率が異なる場合は、転写電圧を設定する際に、シート画像領域先端部にあって、長手方向両端部の画像比率と、長手方向中央部の画像比率の割合をそれぞれ考慮することが望ましい。
【００５４】
そこで、本実施形態にあっては、トナーの転写性を大きく損なうことなくシートの分離不良を抑制させるために、シート坪量が所定値以下の薄手シートの場合に、シート幅方向の端部・中央部それぞれの画像比率に応じて最適な転写電圧を設定する。具体的には、シート画像領域先端部において、シート幅方向のシート端部領域の画像比率が変化したとき、中央部領域の画像比率が変化したときよりも二次転写電圧を大きく変化させるように設定する。
【００５５】
＜画像比率の導出方法＞
シート画像領域先端部の画像比率は、例えばＡ４サイズシートの場合、図１２に示すように、シート画像領域先端部（本実施形態では２０ｍｍの領域）をシート幅方向両端の非画像領域３ｍｍを除いた画像形成領域を３等分する。そして、３等分したシート幅方向の両側を端部領域、中央を中央部領域として、それぞれ画像比率を算出する。
【００５６】
そして、本実施形態では両端部領域の画像比率の影響を中央部領域よりも大きく反映させるために、両端部領域の画像比率を２倍して全体の画像比率の平均値を算出する。具体的には、シート長手方向両端部の画像比率をそれぞれＧedge1、Ｇedge2［％］とし、中央部の画像比率をＧcenter［％］、シート画像先端部の幅方向全体の画像比率平均値をＧtotal［％］としたとき、Ｇtotalを以下のようにして算出する。
【００５７】
Ｇtotal＝（２Ｇedge1＋２Ｇedge2＋Ｇcenter）／５    ……式３
図１３は上記式３におけるシート幅方向中央部領域の画像比率（Ｇcenter）が１００［％］のときにおけるシート幅方向両端部領域の画像比率（Ｇedge1＋Ｇedge2）［％］と、シート先端部幅方向全体の画像比率平均値（Ｇtotal）［％］の関係を示すグラフである。このグラフからシート幅方向中央部（Ｇcenter）の画像比率が１００［％］であってもシート幅方向両端部の画像比率（Ｇedge1，Ｇedge2）がゼロの場合は、シート先端部幅方向全体の画像比率平均値（Ｇtotal）は２０［％］であることが確認できる。すなわち、幅方向の１／３を占める中央部の画像比率が１００［％］でも、全体の平均は２０［％］であって、両端部の画像比率に比べて全体の影響が少なくなっている。
【００５８】
上記のように、シート幅方向両端部の画像比率を２倍して全体の平均値を算出し、その画像比率の変化に応じて転写電圧を変化させる。これにより、シート幅方向中央部の画像比率が変化したときよりも両端部の画像比率が変化したときの転写電圧の変化が大きくなるようにするものである。
【００５９】
なお、画像比率平均値Ｇtotalを求めるときに、両端部の画像比率Ｇedge1、Ｇedge2を中央部の画像比率Ｇcenterに対してどの程度大きく算出するかは、シートの種類等によって変更するようにしてもよい。
【００６０】
＜二次転写電圧の制御＞
平均画像比率（Ｇtotal）と転写電圧低減値（Ｖoffset）、転写電圧標準値（Ｖref）、転写電圧算出値（Ｖapply）の関係は、本実施形態では以下の式により設定するようにしている。
【００６１】
Ｖapply ＝ Ｖref − Ｖoffset
Ｖoffset ＝ ０．６７×（１−Ｇtotal／１００）×Ｖref  ……式４
そして上記式４によれば、例えば転写電圧標準値（Ｖref）が３０００［Ｖ］で、シートの画像領域先端部における幅方向全体の画像比率平均値（Ｇtotal）が２０［％］のときの転写電圧算出値は（Ｖapply）１３９２［Ｖ］である。そして、これは、図１１に示す、シート幅方向方向中央部（Ｇcenter）の画像比率が１００［％］のときにおけるシート幅方向両端部の画像比率（Ｇedge1，Ｇedge2）がゼロの場合（すなわち、式３で求める画像比率平均値Ｇtotalが２０［％］の場合）のシートの分離ＯＫ・ＮＧ閾値電圧は１５００［Ｖ］であることがわかる。
【００６２】
したがって、上記式３及び式４に基づいてシート幅方向の端部領域の画像比率が変化したとき、中央部領域の画像比率が変化したときよりも転写電圧を大きく変化させることで、より確実にシートの分離性とトナーの転写性の向上を両立させることができる。
【００６３】
なお、前記式４における０．６７は比例定数となるべきものであり、シートの種類に応じて適宜変更してもよい。
【００６４】
また、本実施形態にあっても、第１実施形態の場合と同様に、前記式によらず、図１１に示す画像比率と転写電圧を変化させてシートの分離性とトナーの転写性の良否のデータをシートの坪量ごとに取得しておき、そのデータテーブルを制御部に格納しておくことで、搬送されるシートの坪量及びシート画像領域先端部の画像比率に応じた転写電圧を読み出し、その転写電圧を印加するように制御してもよい。
【符号の説明】
【００６５】
Ｐ    …シート
１    …中間転写ベルト
２    …感光ドラム
３    …帯電ローラ
４    …露光部
５    …現像部
６    …一次転写ローラ
７    …ドラムクリーニング部
８ａ  …駆動ローラ
８ｂ  …テンションローラ
８ｃ  …二次転写内ローラ
９    …搬送ローラ
１０  …二次転写ローラ
１１  …定着部
１２  …ベルトクリーニング部
２０  …制御部
２１  …坪量検出手段
２２  …画像比率検出手段
２３  …二次転写電圧電源
【図１】
2018146827.tif 000003
【図２】
2018146827.tif 000004
【図３】
2018146827.tif 000005
【図４】
2018146827.tif 000006
【図５】
2018146827.tif 000007
【図６】
2018146827.tif 000008
【図７】
2018146827.tif 000009
【図８】
2018146827.tif 000010
【図９】
2018146827.tif 000011
【図１０】
2018146827.tif 000012
【図１１】
2018146827.tif 000013
【図１２】
2018146827.tif 000014
【図１３】
2018146827.tif 000015